(57)【要約】【課題】パチンコ機を島に設置するあるいは島から外すときの作業効率を向上させることができるパチンコ機の外枠固定構造を提供する。【解決手段】パチンコ機の外枠１を島の所定の位置に載置し、外枠１の側板３に取り付けられた操作レバー９を回転操作する。操作レバー９の回転操作に伴ない、側板３に形成された上下ロッドガイド穴４５、４６内に配置され、その端部を操作レバー９の回転の軸４１を挟んだ操作レバー９上の対向する位置に係合させている上下ロッド１２、１３が、それぞれ上下方向に移動する。上ロッド１２が外枠１の上方外部に突出するよりも先に、下ロッド１３が外枠１の下方外部に突出し、その先端部が島の固定部に圧入する。この下ロッド１３のみが島に圧入した状態で外枠１のねかせ傾斜の調整を行ない、操作レバー９をさらに回転操作させ上下ロッド１２、１３を外枠１の外部に突出させて外枠１を島に固定させる。【選択図】    図４
2004195096.tif 000002
【特許請求の範囲】
【請求項１】
複数のパチンコ機を並べて配置させるいわゆる島に、各パチンコ機を設置するためのパチンコ機の外枠固定構造において、
外枠の左右それぞれの側板の内側に設けられ、固定された軸を中心として回転移動可能な長手状の操作レバーと、
前記操作レバーの軸を挟んだ前記操作レバー上の対向する位置にそれぞれの一方の端部が係合され、前記操作レバーの回転操作に伴なって前記側板に沿った上下方向に移動し、且つ、その移動が相互に上下逆方向である第一ロッドおよび第二ロッドと、
前記側板に設けられ、前記第一ロッドと第二ロッドを前記側板に沿った上下方向にガイドする第一ロッドガイド穴および第二ロッドガイド穴と、
前記側板と前記操作レバーとの間であって、前記第一ロッドガイド穴と第二ロッドガイド穴の一部、およびこれらのロッドガイド穴に遊嵌された前記第一ロッドと第二ロッドの一部を覆うように前記側板に取り付けられ、前記操作レバーの回転操作に伴なって移動する前記第一ロッドと第二ロッドの前記操作レバーに係合された端部をそれぞれガイドするロッド端部ガイド穴が形成されると共に、前記操作レバーの回転の軸が固定されたベース板とを備え、
前記第一ロッドと第二ロッドの前記係合された一方の端部と逆側の端部が尖頭状に加工され、前記外枠を取り付ける際の操作レバーの回転操作に伴なって、前記尖頭状の端部は前記外枠の上下方向の外部に突出し、前記島に嵌入されることを特徴とするパチンコ機の外枠固定構造。
【請求項２】
前記ロッド端部ガイド穴は、弧状の長穴に形成されていることを特徴とする請求項１に記載のパチンコ機の外枠固定構造。
【請求項３】
前記ロッド端部ガイド穴は、前記側板の上下方向に沿って直線状の長穴に形成され、前記第一ロッドと第二ロッドの一方の端部が係合する前記操作レバーの軸を挟んだ位置には、前記係合する端部の移動をガイドする前記操作レバーの長手方向に沿った長穴形状の係合端部ガイド穴が形成されていることを特徴とする請求項１に記載のパチンコ機の外枠固定構造。
【請求項４】
複数のパチンコ機を並べて配置させるいわゆる島に、各パチンコ機を設置するためのパチンコ機の外枠固定構造において、
外枠の左右それぞれの側板の内側に取り付けられた軸を中心として、回転移動可能な長手状の操作レバーと、
前記操作レバーの軸を挟んだ前記操作レバー上の対向する位置にそれぞれの一方の端部が係合され、前記操作レバーの回転操作に伴なって前記側板に沿った上下方向に移動し、且つ、その移動が相互に上下逆方向である第一ロッドおよび第二ロッドと、
前記側板に設けられ、前記第一ロッドと第二ロッドを前記側板に沿った上下方向にガイドする第一ロッドガイド穴および第二ロッドガイド穴とを備え、
前記第一ロッドと第二ロッドの前記係合された一方の端部と逆側の端部が尖頭状に加工され、前記外枠を取り付ける際の操作レバーの回転操作に伴なって、前記尖頭状の端部は前記外枠の上下方向の外部に突出し、前記島に嵌入されることを特徴とするパチンコ機の外枠固定構造。
【請求項５】
前記外枠を取り付ける際の前記操作レバーの操作によって、前記第一ロッドの端部は、前記第二ロッドの端部が前記外枠の上方外部に突出するよりも先に、前記外枠の下方外部に突出し前記島に嵌入されることを特徴とする請求項１から４のいずれかに記載のパチンコ機の外枠固定構造。
【請求項６】
前記ベース板には前記操作レバーの回転移動範囲を制限する移動制限部材が設けられ、前記操作レバーは、略１１時の方向から７時の方向、あるいは略１時の方向から５時の方向まで回転することを特徴とする請求項１から５のいずれかに記載のパチンコ機の外枠固定構造。
【請求項７】
複数のパチンコ機を並べて配置させるいわゆる島に、各パチンコ機を設置するためのパチンコ機の外枠固定構造において、
外枠の左右それぞれの側板の背面に設けられ、固定された軸を中心として回転移動可能な長手状の操作レバーと、
前記操作レバーの軸を挟んだ前記操作レバー上の対向する位置に、それぞれの一方の端部が係合され、前記操作レバーの回転操作に伴なって前記側板に沿った上下方向に移動し、且つ、その移動が相互に上下逆方向である第三ロッドおよび第四ロッドと、
前記側板に設けられ、該第三ロッドと第四ロッドを前記側板に沿った上下方向にガイドする第三ロッドガイド穴および第四ロッドガイド穴と、
前記操作レバーの回転の軸を有し、前記側板の背面に形成された凹部に取り付けられたベース板とを備え、
前記第三ロッドと第四ロッドの前記操作レバーに係合された一方の端部と逆側の端部は尖頭状に加工され、前記外枠を取り付ける際の操作レバーの回転操作に伴なって、前記尖頭状の端部は前記外枠の上下方向の外部に突出し、前記島に嵌入されることを特徴とするパチンコ機の外枠固定構造。
【請求項８】
複数のパチンコ機を並べて配置させるいわゆる島に、各パチンコ機を設置するためのパチンコ機の外枠固定構造において、
外枠の左右それぞれの側板の背面に取り付けられた軸を中心として、回転移動可能な長手状の操作レバーと、
前記操作レバーの軸を挟んだ前記操作レバー上の対向する位置に、それぞれの一方の端部が係合され、前記操作レバーの回転操作に伴なって前記側板に沿った上下方向に移動し、且つ、その移動が相互に上下逆方向である第三ロッドおよび第四ロッドと、
前記側板に設けられ、該第三ロッドと第四ロッドを前記側板に沿った上下方向にガイドする第三ロッドガイド穴および第四ロッドガイド穴とを備え、
前記第三ロッドと第四ロッドの前記操作レバーに係合された一方の端部と逆側の端部は尖頭状に加工され、前記外枠を取り付ける際の操作レバーの回転操作に伴なって、前記尖頭状の端部は前記外枠の上下方向の外部に突出し、前記島に嵌入されることを特徴とするパチンコ機の外枠固定構造。
【請求項９】
前記操作レバーの軸を挟んだ位置には、前記係合する第三ロッドと第四ロッドの端部の移動をガイドする、前記操作レバーの短手方向に沿って弧を描いた弧状長穴の係合端部ガイド穴が形成されていることを特徴とする請求項７または８に記載のパチンコ機の外枠固定構造。
【請求項１０】
前記ベース板には前記操作レバーの回転移動範囲を制限する移動制限部材が設けられ、前記操作レバーは、１２時の方向から６時の方向まで回転することを特徴とする請求項７から９のいずれかに記載のパチンコ機の外枠固定構造。
【発明の詳細な説明】
【０００１】
【発明の属する技術分野】
本発明は、複数のパチンコ機を並べて配置させる島に、各パチンコ機を設置するためのパチンコ機の外枠固定構造に関するものである。
【０００２】
【従来の技術】
パチンコ機島にパチンコ機を設置する場合には、各パチンコ機ごとに釘あるいはネジ等によって固定する方法が一般的である。具体的には、例えば、パチンコ機を新しい機種に入れ替える場合、それまで使用していた古い機種を島から外し、新しい機種の外枠の下側前縁を所定の位置に揃えて載置し、外枠下板の２ヶ所で釘打ち固定してから、次に島の固定部の上部前縁と外枠上板の前縁とに渡ってゲージを当てて、島に対して所定のねかせ角度に外枠を保持し、外枠上板の２ヶ所を上向きに釘打ち固定してから前枠を固定した外枠に装着するという手順を踏む。
【０００３】
しかしながら、このように一台ごとに釘あるいはネジ等を使用して設置する方法では、作業効率が悪く、また熟練した技能も必要となることから設置作業に多くの時間を要するという欠点があった。また、一旦パチンコ機を設置すると、打付けた釘等の取り外しが困難であるため、パチンコ機を新機種に入れ替える作業ではさらに多くの時間が必要となった。
【０００４】
そこで、この欠点を解決するために、島側にクランプ機構を利用した外枠固定装置を設け、さらに上側に設けたクランプ装置には、ねかせ調整機構を設けた遊技機止着具に関する発明が開示されている（例えば、特許文献１参照。）。
【０００５】
【特許文献１】
特許第２５２８０４６号公報（第３−４頁）
【０００６】
【発明が解決しようとする課題】
ところで、上述した従来の遊技機止着具に関する発明は、外枠を島から外す場合には、固定手段として釘を使用していないため釘抜き作業を必要としないという利点がある。また、外枠を島に装着する場合には、同様に釘を使用しないため釘打ち作業を必要としないという利点がある他、ねかせ調整機構によって最終的な調整精度を高くできるという利点もある。また、いずれの場合にも熟練した技能を必要とせず、釘打ち用のエアーコンプレッサー等の設備も必要としないという利点もある。
【０００７】
しかしながら、上述した従来の遊技機止着具では、ネジを使用しているため外枠を島から外す場合にも、島に装着する場合にもネジ締め作業を伴なうため、この作業に多くの時間が必要となり、作業効率を向上させるという面では十分に改善されていなかった。
【０００８】
また、近年は、いわゆる第一種のパチンコ機が主流であり、パチンコホールに設置される機種も第一種のパチンコ機の台数が多いのが現状である。そして、第一種のパチンコ機の場合には、図柄始動入賞口の左側の遊技盤面から直接遊技球が図柄始動入賞口に入賞し、その入賞ごとに当たり／外れの抽選が行なわれるため、遊技球の図柄始動入賞口への入賞は直接的には大当りに結びつかず、役物内の傾斜面の角度に大きな影響を受け、役物内の遊技球の動きが直接大当りに結びつく、いわゆる二種、三種のパチンコ機と比べて、パチンコ機全体のねかせ角度を精密に調整しなくても遊技者の獲得遊技球数に大きな差を生じることがない。従って、パチンコ機の設置作業においては、より効率的な設置手段が求められている。
【０００９】
そこで、本発明は、上記課題に鑑みてなされたものであり、パチンコ機を島に装着する場合および島から外す場合の作業効率を、大幅に向上させることができるパチンコ機の外枠固定構造の提供を目的とするものである。
【００１０】
【課題を解決するための手段】
上記課題を解決するために、請求項１に係るパチンコ機の外枠固定構造の発明は、複数のパチンコ機を並べて配置させるいわゆる島に、各パチンコ機を設置するためのパチンコ機の外枠固定構造において、外枠の左右それぞれの側板の内側に設けられ、固定された軸を中心として回転移動可能な長手状の操作レバーと、前記操作レバーの軸を挟んだ前記操作レバー上の対向する位置にそれぞれの一方の端部が係合され、前記操作レバーの回転操作に伴なって前記側板に沿った上下方向に移動し、且つ、その移動が相互に上下逆方向である第一ロッドおよび第二ロッドと、前記側板に設けられ、前記第一ロッドと第二ロッドを前記側板に沿った上下方向にガイドする第一ロッドガイド穴および第二ロッドガイド穴と、前記側板と前記操作レバーとの間であって、前記第一ロッドガイド穴と第二ロッドガイド穴の一部、およびこれらのロッドガイド穴に遊嵌された前記第一ロッドと第二ロッドの一部を覆うように前記側板に取り付けられ、前記操作レバーの回転操作に伴なって移動する前記第一ロッドと第二ロッドの前記操作レバーに係合された端部をそれぞれガイドするロッド端部ガイド穴が形成されると共に、前記操作レバーの回転の軸が固定されたベース板とを備え、前記第一ロッドと第二ロッドの前記係合された一方の端部と逆側の端部が尖頭状に加工され、前記外枠を取り付ける際の操作レバーの回転操作に伴なって、前記尖頭状の端部は前記外枠の上下方向の外部に突出し、前記島に嵌入されることを特徴とするものである。
【００１１】
設置するパチンコ機の外枠を島の所定の位置に載置し、外枠の側板の内側面に取り付けられた操作レバーを回転操作する。この操作レバーの回転に伴なって操作レバーに係合されている第一ロッドと第二ロッドがロッドガイド穴に沿って（相互に逆方向に）移動する。この移動によって第一ロッドと第二ロッドの先端部が、外枠の上下方向の外部に突出し、各ロッドが島を構成する板に嵌入される（以下、圧入されるともいう）ことにより外枠は島の所定の位置に設置される。
【００１２】
設置機器に取り付けられたレバー操作により機器の外部にロッドを突出させ、突出したロッドを固定部に圧入して機器を固定する手段（テコ式留めにより釘を打ち込む装置）では、例えば、テーブル状の固定部に、テコ式留めにより釘を打ち込む装置を備えた機器を載置し、装置のレバーを操作して留め釘（ロッド）を突出させた場合、固定部の材質が硬いと留め釘は固定部内に圧入されず、機器がテーブルの上面から浮き上がってしまうという不具合が生じる。従って、このような構成においてのテコ式による固定方法は、機器が十分に重く、留め釘が細い等の要件を満たすことが必要となる。
【００１３】
しかしながら本願のパチンコ機を設置する島のような構成の場合、島の固定部は外枠の上側と下側の両方に存在し、外枠を島の固定部の間に挟む構造となるため、外枠に設けたレバーを操作して外枠の上下方向外部にロッドを突出させた場合、例えば、島の下側固定部にロッドを圧入させるときには、外枠の上板が島の上側固定部に当接して固定され、外枠（上述した設置機器に相当）は、レバー操作によって発生するテコの力に応じて、ロッドにより島に確実に固定される。
【００１４】
また、請求項２に係るパチンコ機の外枠固定構造の発明は、請求項１に記載の発明において、前記ロッド端部ガイド穴は、弧状の長穴に形成されていることを特徴とするものである。ロッド端部ガイド穴を弧状に形成することにより、操作レバーの軸を挟んで対向する位置に係合されたロッドの端部を適切な移動方向に誘導する。また、形成されたガイド穴の範囲によって操作レバーの操作移動範囲を制限する。
【００１５】
また、請求項３に係るパチンコ機の外枠固定構造の発明は、請求項１に記載の発明において、前記ロッド端部ガイド穴は、前記側板の上下方向に沿って直線状の長穴に形成され、前記第一ロッドと第二ロッドの一方の端部が係合する前記操作レバーの軸を挟んだ位置には、前記係合する端部の移動をガイドする前記操作レバーの長手方向に沿った長穴形状の係合端部ガイド穴が形成されていることを特徴とするものである。
側板の上下方向に沿うように形成した直線状のロッド端部ガイド穴によってロッドの端部を適切な移動方向に誘導する。また、操作レバーの軸を挟んだ位置に、操作レバーの長手方向に沿うように形成した係合端部ガイド穴によって、側板の上下方向に沿ったロッドの直線的な移動を可能にする。
【００１６】
また、請求項４に係るパチンコ機の外枠固定構造の発明は、複数のパチンコ機を並べて配置させるいわゆる島に、各パチンコ機を設置するためのパチンコ機の外枠固定構造において、外枠の左右それぞれの側板の内側に取り付けられた軸を中心として、回転移動可能な長手状の操作レバーと、前記操作レバーの軸を挟んだ前記操作レバー上の対向する位置にそれぞれの一方の端部が係合され、前記操作レバーの回転操作に伴なって前記側板に沿った上下方向に移動し、且つ、その移動が相互に上下逆方向である第一ロッドおよび第二ロッドと、前記側板に設けられ、前記第一ロッドと第二ロッドを前記側板に沿った上下方向にガイドする第一ロッドガイド穴および第二ロッドガイド穴とを備え、前記第一ロッドと第二ロッドの前記係合された一方の端部と逆側の端部が尖頭状に加工され、前記外枠を取り付ける際の操作レバーの回転操作に伴なって、前記尖頭状の端部は前記外枠の上下方向の外部に突出し、前記島に嵌入されることを特徴とするものである。
【００１７】
また、請求項５に係るパチンコ機の外枠固定構造の発明は、請求項１から４のいずれかに記載の発明において、前記外枠を取り付ける際の前記操作レバーの操作によって、前記第一ロッドの端部は、前記第二ロッドの端部が前記外枠の上方外部に突出するよりも先に、前記外枠の下方外部に突出し前記島に嵌入されることを特徴とするものである。
【００１８】
外枠を取り付ける際の操作レバーの操作によって、側板に沿い下方に移動するロッドを第一ロッドとし、側板に沿い上方に移動するロッドを第二ロッドとした場合、第一ロッドを第二ロッドよりも先に外枠の下方外部に突出させることにより、島に外枠の下板を先ず仮固定して、次にパチンコ機の設置傾斜を調整した位置に外枠の上板を合わせ、最終的に上板および下板を確実に島に固定する。また、島に外枠の下板を仮固定した状態では、外枠全体が下側に配置される島からの押圧によって上方向に押され、外枠の上板が上側に配置される島に当接される。このような状態であれば、外枠の上板部分に島との摩擦力が生じているため、外枠状部が不安定な状態（ふらつく状態）ではないので、設置傾斜を容易に調整することができる。
【００１９】
また、請求項６に係るパチンコ機の外枠固定構造の発明は、請求項１から５に記載の発明において、前記ベース板には前記操作レバーの回転移動範囲を制限する移動制限部材が設けられ、前記操作レバーは、略１１時の方向から７時の方向、あるいは略１時の方向から５時の方向まで回転することを特徴とするものである。移動制限部材により操作レバーの回転移動範囲を制限する、即ち、操作レバーの回転移動にリミッタを掛けることにより外枠固定装置の破損を防止する。
【００２０】
また、請求項７に係るパチンコ機の外枠固定構造の発明は、複数のパチンコ機を並べて配置させるいわゆる島に、各パチンコ機を設置するためのパチンコ機の外枠固定構造において、外枠の左右それぞれの側板の背面に設けられ、固定された軸を中心として回転移動可能な長手状の操作レバーと、前記操作レバーの軸を挟んだ前記操作レバー上の対向する位置に、それぞれの一方の端部が係合され、前記操作レバーの回転操作に伴なって前記側板に沿った上下方向に移動し、且つ、その移動が相互に上下逆方向である第三ロッドおよび第四ロッドと、前記側板に設けられ、該第三ロッドと第四ロッドを前記側板に沿った上下方向にガイドする第三ロッドガイド穴および第四ロッドガイド穴と、前記操作レバーの回転の軸を有し、前記側板の背面に形成された凹部に取り付けられたベース板とを備え、前記第三ロッドと第四ロッドの前記操作レバーに係合された一方の端部と逆側の端部は尖頭状に加工され、前記外枠を取り付ける際の操作レバーの回転操作に伴なって、前記尖頭状の端部は前記外枠の上下方向の外部に突出し、前記島に嵌入されることを特徴とするものである。
【００２１】
また、請求項８に係るパチンコ機の外枠固定構造の発明は、複数のパチンコ機を並べて配置させるいわゆる島に、各パチンコ機を設置するためのパチンコ機の外枠固定構造において、外枠の左右それぞれの側板の背面に取り付けられた軸を中心として、回転移動可能な長手状の操作レバーと、前記操作レバーの軸を挟んだ前記操作レバー上の対向する位置に、それぞれの一方の端部が係合され、前記操作レバーの回転操作に伴なって前記側板に沿った上下方向に移動し、且つ、その移動が相互に上下逆方向である第三ロッドおよび第四ロッドと、前記側板に設けられ、該第三ロッドと第四ロッドを前記側板に沿った上下方向にガイドする第三ロッドガイド穴および第四ロッドガイド穴とを備え、前記第三ロッドと第四ロッドの前記操作レバーに係合された一方の端部と逆側の端部は尖頭状に加工され、前記外枠を取り付ける際の操作レバーの回転操作に伴なって、前記尖頭状の端部は前記外枠の上下方向の外部に突出し、前記島に嵌入されることを特徴とするものである。
【００２２】
また、請求項９に係るパチンコ機の外枠固定構造の発明は、請求項７または８に記載の発明において、前記操作レバーの軸を挟んだ位置には、前記係合する第三ロッドと第四ロッドの端部の移動をガイドする、前記操作レバーの短手方向に沿って弧を描いた弧状長穴の係合端部ガイド穴が形成されていることを特徴とするものである。
操作レバーの軸を挟んだ位置に、操作レバーの短手方向に沿って弧を描くように形成した係合端部ガイド穴によって、操作レバーを鉛直方向の位置まで回転操作させることができる。
【００２３】
また、請求項１０に係るパチンコ機の外枠固定構造の発明は、請求項７から９のいずれかに記載の発明において、前記ベース板には前記操作レバーの回転移動範囲を制限する移動制限部材が設けられ、前記操作レバーは、１２時の方向から６時の方向まで回転することを特徴とするものである。移動制限部材により操作レバーの回転移動範囲を制限することにより外枠固定装置の破損を防止する。また、操作レバーを側板の背面に重ねて配置させて保持することができ外枠固定装置の破損を防止する。
【００２４】
【発明の実施の形態】
以下、本発明に係るパチンコ機の外枠固定構造の実施の形態を添付図面に基づいて説明する。
図１（ａ）は、外枠固定構造を備えたパチンコ機の外枠の一形態を示す背面図であり、図１（ｂ）は、（ａ）のＡ−Ａ線における断面図である。図２（ａ）は、図１に示す外枠を島に取り付けた状態を示す図であり、図２（ｂ）は、（ａ）のＢ−Ｂ線における断面図である。
【００２５】
図１（ａ）に示すように、パチンコ機の外枠１は、左右の側板２、３と上板４と下板５とから構成された、例えば、パラゴム材からなる木枠であり、各板間はＬ字金具６によって連結されている。左右の側板２、３の内側（内側面７、８側）には、長手状の操作レバー９、１０が設けられている。この操作レバー９、１０は、固定された軸を中心に回転移動可能な状態に取り付けられている。図１（ａ）に示す外枠１は島に設置される以前のものであり、側板２の内側面７に取り付けられている操作レバー１０は、図１（ｂ）に示すように、略１時の方向を指すように設置されている。図１（ｂ）において矢印Ｆの示す方向が外枠２の前面、即ち、パチンコ機の前面方向を示している。操作レバー１０は矢印１１で示す方向に回転移動し、その回転移動に伴なって操作レバー１０に係合された上ロッド１２（第二ロッドともいう）、下ロッド１３（第一ロッドともいう）が外枠１の上下方向にそれぞれ移動し、外枠の上板４の上面および下板５の下面から外部に突出される（詳しくは後述する）。
【００２６】
図２（ａ）に示すように、外枠１は上板４の上面および下板５の下面が島２０（以下、島の固定部２０ともいう。図では見易くするため島の固定部２０に斜線を付してある。）と近接あるいは当接するように設置される。側板２の内側面７に取り付けられている操作レバー１０は、図１（ｂ）に示された略１時の方向から図２（ｂ）に示す略５時の方向まで回転操作される。この操作によって上述したように、上下ロッド１２、１３が外枠１の上板４の上面および下板５の下面から外部に突出する。突出した上下ロッド１２、１３は島の固定部２０に圧入し、外枠１が島２０に固定される（詳しくは後述する）。
【００２７】
ここで外枠が取り付けられる島の構造を図３に基づいて説明する。図に示す島は、従来の一般的な島と同様の構造を有するものであり、島本体３０はパチンコホールの床面に固定される複数の支持枠３１と、支持枠３１の下部に取り付けられる基台３２と、支持枠３１の上部から他の支持枠３１の上部に掛けて設けられた上部取付部３３とを備えている。基台３２の上側には外枠３４（パチンコ機３５）を下方から支持するための下方支持板３６が固定され、上部取付部３３の下側には外枠３４（パチンコ機３５）を上方から支持するための上方支持板３７が固定されている。各外枠３４は島本体３０に形成された開口部３８の所定の位置に載置され、下方支持板３６および上方支持板３７（図２に示す島固定部２０）へ外枠固定手段（例えば、図１、２に示した外枠固定構造を有するもの）によって設置される。
【００２８】
図４（ａ）、（ｂ）は外枠固定構造の一形態を示す図である。図４（ａ）は外枠１の側板３に取り付けられた外枠固定構造を外枠１の表から見たときの一部断面図である。図４（ｂ）は側板３に取り付けられた外枠固定構造を内側面８方向から見たときの図である。
図４（ａ）、（ｂ）に示すように、側板３の内側（内側面８側）には長手状の操作レバー９（例えば、断面コ字状のレバー）が設けられている。操作レバー９は、ベース板４０に固定された軸４１（例えば、カシメ固定された軸）を中心として回転移動可能な状態で軸４１に取り付けられている。軸４１には操作レバー９の外れを防止するために、例えば、Ｅリング４２が取り付けられている。
【００２９】
尚、図４（ｂ）では構造を判り易くするために、ベース板４０を側板３から外した状態を示している。操作レバー９の軸４１を挟んだ操作レバー９上の対向する位置には、上下ロッド１２、１３のそれぞれの一方の端部が取り付けられている。この上下ロッド１２、１３の一方の端部は略垂直に折り曲げられ、その折曲部は操作レバー９に形成された上下ロッド１２、１３の径よりも少し大きい径の穴４３、４４（上記操作レバー９上の対向する位置）に嵌め込まれている（例えば、穴４３、４４はバーリング加工によって形成されている）。また、穴４３、４４は操作レバー９を貫通しない状態で形成されており、操作レバー９の折曲部のズレ（穴の深さ方向への移動）を穴４３、４４の底面によって制限している。但し、穴４３、４４は、その加工作業の容易性を考慮して操作レバー９を貫通するように形成するものであってもよい。
【００３０】
側板３の内側面８には、上下ロッド１２、１３をそれぞれ内側面８に沿って上下方向（図４（ｂ）において上下方向）に誘導すると共に操作レバー９の操作過程において上下ロッド１２、１３の座屈変化を防止する上下ロッドガイド穴４５、４６（第一ロッドガイド穴４５、第二ロッドガイド穴４６ともいう）が形成されている。上下ロッドガイド穴４５、４６は、上下ロッド１２、１３の径よりも少し大きい幅［ロッドと穴壁との間に隙間がある（遊嵌された）程度の幅］で、且つ、穴内に上下ロッド１２、１３が全部収納される深さに形成されている。また、上ロッドガイド穴４５と下ロッドガイド穴４６とは、操作レバー９の回転の軸４１を挟んで側板３の短手方向の対向する位置（図４（ｂ）において軸４１の左右両側の位置に）に形成されている。
【００３１】
さらに、上ロッドガイド穴４５は、軸４１よりも下側の位置（図４（ｂ）において軸４１の右下の位置）から上方向に延び、外枠１の上板４の上面まで達している。そして、上ロッドガイド穴４５の下方部分（図４（ｂ）において矢印で示すＰの領域）の幅は、上方部分の幅よりも広く形成されている。このように下方部分を広く形成することにより、操作レバー９の回転操作に伴って上下方向に移動すると共に左右方向にも移動するロッドの、左右方向の曲がりを許容している。下ロッドガイド穴４６は、軸４１よりも上側の位置（図４（ｂ）において軸４１の左上の位置）から下方向に延び、外枠１の下板５の下面まで達している。そして、下ロッドガイド穴４６の上方部分（図４（ｂ）において矢印で示すＱの領域）の幅は、下方部分の幅よりも広く形成されており、上ロッドガイド穴４５と同じように、ロッドの左右方向の曲がりを許容している。
【００３２】
尚、前記上下ロッドガイド穴４５、４６は、側板３の内側面８上に形成する溝状のガイド穴であってもよいし、あるいは側板３内を貫通するトンネル状のガイド穴（但し、幅が広く形成されたＰ、Ｑの領域は溝状のガイド穴とする）であってもよい。溝状であれば上下ロッド１２、１３の三方向の座屈変形を防止することができ、トンネル状であれば全方向の座屈変形を防止することができる。但し、上板４および下板５に形成される上下ロッドガイド穴４５、４６部分は、いずれの場合にもトンネル状のガイド穴になる。
【００３３】
上ロッド１２と下ロッド１３は、上ロッドガイド穴４５と下ロッドガイド穴４６内にそれぞれ収納された状態で配置されている。また、上下ロッド１２、１３の略垂直に折り曲げられた端部とは逆側の端部（先端部）は、尖頭状に加工されている。そして、操作レバー９の回転操作に基づいて上下ロッド１２、１３は上下ロッドガイド穴４５、４６に沿って移動し、尖頭状の端部が外枠から外部に突出する。上下ロッド１２、１３には、例えば、ピアノ線（φ２.０）が使用される。尚、上ロッド１２と下ロッド１３とは上下逆方に移動する。即ち、操作レバー９の回転操作によって上ロッド１２が上方向に移動した場合には、下ロッド１３は下方向に移動し、上ロッド１２が下方向に移動した場合には、下ロッド１３は上方向に移動する。
【００３４】
尚、上下ロッドガイド穴４５、４６は、上下ロッド１２、１３の全長に渡って形成されるものでなくてもよい。即ち、上下ロッド１２、１３を側板３に沿った上下方向にガイドできるものであれば、全長に渡って設ける必要はなく、例えば、上下ロッド１２、１３が通過可能な径で、且つ、幅の狭いリングを、側板３の内側面８上に所定の間隔で上下方向に複数個取り付けて、上下ロッド１２、１３をガイドするようにしてもよい。
また、上下ロッド１２、１３は、上板４と側板３、あるいは下板５と側板３とを連結しているＬ字金具６、６の一面によって、それぞれ上下ロッドガイド穴４５、４６から飛び出して破損等しないように保護およびガイドされている。
【００３５】
ベース板４０は、薄い平板状を有し、側板３と操作レバー９との間に、側板３へネジ止めされて配設されている。また、ベース板４０は、側板３に形成された上下ロッドガイド穴４５、４６の一部分（例えば、上下ロッドガイド穴４５、４６の広く形成されている下方部分、上方部分）、および上下ロッドガイド穴４５、４６内に配置される上下ロッド１２、１３の一部を覆うように側板３に取り付けられている。
【００３６】
ベース板４０には操作レバー９の回転の軸４１が固定されて設けられており、この軸４１を挟んだベース板４０上の対向する位置には、操作レバー９の回転操作に伴なって移動する上下ロッド１２、１３の端部（操作レバー９の穴４３、４４に係合する折り曲げられた端部）をそれぞれガイドするロッド端部ガイド穴４７が形成されている。ロッド端部ガイド穴４７は上下ロッド１２、１３の端部の移動経路に対応した弧状の長穴に形成されると共に、端部の移動を妨げないように上下ロッド１２、１３の径よりも大きい幅に形成されている。
【００３７】
また、ベース板４０には、ロッド端部ガイド穴４７の上下方向に、操作レバー９の回転移動範囲を制限するリミッタ部材（移動制限部材ともいう）４８、４９が設けられている。図４（ｃ）にリミッタ部材４８の側面図を示す。リミッタ部材４８は凹凸状に形成されており、凸部４８ａによって操作レバー９の回転移動（図４（ｃ）において右方向への移動）を制限される。また、リミッタ部材４８の凹部４８ｂによって操作レバー９の仮固定が行なわれる。凹部４８ｂに操作レバー９を嵌入させて（断面コ字状の一側面部分を嵌入させて）係止させることにより、操作レバー９の回転移動を止めることができ、ロッド１２、１３の移動を防止することができる。
尚、ベース板４０に形成されたロッド端部ガイド穴４７は、上下ロッド１２、１３の端部の移動範囲を制限する穴としても作用し得るので、端部が係合している操作レバー９の回転移動制限部材としても作用する。
【００３８】
図４（ｂ）は、外枠１が島に取り付けられる前の状態を表わすものであり、操作レバー９が回転移動範囲の一方の制限位置（略１１時の方向の位置）にあって、リミッタ部材４８に係止された状態を示している。上下ロッド１２、１３は上下ロッドガイド穴４５、４６内に配置されている。下ロッド１３の長さは上ロッド１２の長さよりも長く形成されており、尖頭状に加工された上下ロッド１２、１３の端部は、下ロッド１３の先端部が下板５の下面まで略達した状態に配置されているのに対して、上ロッド１２の先端部は上板４の上面まで達していない下がった状態に配置されている。従って、この状態から操作レバー９を回転移動させた場合には、下ロッド１３が先に外枠１の下方外部に突出し、上ロッド１２が遅れて外枠１の上方外部に突出することになる。詳細は後述するが、この上下ロッド１２、１３を時差を持たせて上下方向の外部に突出させることにより、外枠１の島２０への取り付けを迅速、かつ確実に行なうことができる。
【００３９】
尚、時差を持たせて上下ロッド１２、１３を外枠の上下方向に突出させる手段としては、上下ロッド１２、１３の長さを相違させる手段に限定されるものではなく、例えば、操作レバー９（ベース板４０）を設ける内側面８上の位置を、上下方向のセンターの位置から下側に少しずらす手段であってもよい。このようにベース板４０の取り付け位置を内側面８の真中の位置から下側にずらすことにより、例えば、上ロッド１２と下ロッド１３を同じ長さにした場合であっても、下ロッド１３を上ロッド１２よりも先に外枠１の外部に突出させることができる。そして、上述した上下ロッド１２、１３の長さを相違させる手段の場合と同様の作用効果を得ることができる。
【００４０】
図５（ａ）は、操作レバー９を図４（ｂ）に示される位置（略１１時の方向の位置）から水平の位置（略９時の方向の位置）まで回転操作させた状態を表わす図である。また、図５（ｂ）は、操作レバー９をさらに回転させ、移動範囲の一方の制限位置（略７時の方向の位置）まで回転操作させた状態を表わす図である。尚、図５（ａ）、（ｂ）は、外枠１を島（図３に示す開口部３８）に載置した状態において操作レバー９を回転操作させている。
【００４１】
図５（ａ）に示すように、操作レバー９を回転操作させると下ロッド１３が先に外枠１の下方外部に突出し、その先端が島の固定部２０（図３において下方支持板３６に相当する）に圧入する。この時、上ロッド１２は未だ上ロッドガイド穴４５内に配置されており、外枠１から外部に突出していない。この下ロッド１３の先端部のみが島の固定部２０に圧入された仮固定の状態において、垂直方向に対する外枠１のねかせ傾斜の調整を行なう。この状態においては、下ロッド１３が島の固定部２０に圧入される段階で、外枠１全体が上方向に押し上げられ、外枠１の上板４が島の固定部２０（上方支持板３７に相当）に当接しており、上板４の上面に摩擦力が働いているために外枠１の上部分がふらつかず安定しているので、ねかせ傾斜の調整が容易であり、外枠１の島２０への取り付けを迅速、かつ確実に行なうことができる。
【００４２】
外枠１のねかせ傾斜を調整した後、図５（ｂ）に示すように、操作レバー９をさらに回転操作させると上ロッド１２が外枠１の上方外部に突出し、その端部が島の固定部２０に圧入され、外枠１が島の固定部２０に確実に固定される。外枠１の取り付け終了時には、操作レバー９をリミッタ部材４９に係止させることにより、操作レバー９の回転移動、即ち、上下ロッド１２、１３の島の固定部２０からの抜けを防止することができる。また、外枠１を島に取り付ける前（例えば、外枠の搬送時）においては、操作レバー９をリミッタ部材４８に係止させることによって（図４（ｂ）に示す状態によって）、上下ロッド１２、１３を外枠１の上下ロッド穴４５、４６内に配置させた状態を保持することができ、搬送時等の安全の確保を図ることができる。
【００４３】
尚、図４、図５では、外枠１の側板３に設けられている固定構造について説明したが、この固定構造は側板２にも設けられており、上述した操作レバー９の場合と同様に操作レバー１０の回転操作が行なわれる。従って、図５（ａ）に示す下ロッド１３の先端部のみが島の固定部２０に圧入された仮固定の状態は、側板２側でも同時に発生する。そして、両側の側板２、３において外枠１を仮固定させることにより、外枠１のねかせ傾斜の調整および外枠も取り付けを、より迅速、確実に行なうことができる。このとき側板２に設けられた操作レバー１０は、略１時の方向から略５時の方向の範囲で回転移動する。
【００４４】
また、島の固定部２０に取り付けられた外枠１を外す場合には、操作レバー９を外枠１取付け時とは逆方向に回転操作させればよい。即ち、図５（ｂ）に示す操作レバー９の位置（略７時の方向の位置）から矢印５０の方向に回転させ、図４（ｂ）に示す操作レバー９の位置（略１１時の方向の位置）まで回転操作させることにより、上下ロッド１２、１３を島の固定部２０から抜くことができ外枠１を取り外すことができる。側板２に設けられた操作レバー１０の場合には、操作レバー１０を略５時の方向の位置から略１時の方向の位置まで回転操作させる。
【００４５】
図６（ａ）、（ｂ）は外枠固定構造の別の一形態を示す図である。図６（ａ）は外枠１の側板３に取り付けられた外枠固定構造を外枠１の表から見たときの一部断面図である。図６（ｂ）は側板３に取り付けられた外枠固定構造を内側面８方向から見たときの図である。この形態における外枠固定構造は、図４に示す外枠固定構造と同様にレバー操作式のものである。従って、図４に示すものと同様の部材（同様の作用効果も奏する部材。以下同じ。）については同一の番号を付し詳しい説明は省略する。
図６（ａ）、（ｂ）に示すように、側板３の内側には操作レバー９が設けられている。操作レバー９は、ベース板４０に固定された軸４１を中心として回転移動可能な状態で軸４１に取り付けられている。
【００４６】
図６（ｂ）に示すように操作レバー９の軸４１を挟んだ操作レバー９上の対向する位置には、上下ロッド１２、１３のそれぞれの一方の端部が取り付けられて（係合して）いる。軸４１を挟んだ操作レバー９上の対向する位置には、操作レバー９の長手方向に沿って長穴形状の係合端部ガイド穴６３、６４が形成され、この係合端部ガイド穴６３、６４に上下ロッド１２、１３の端部が挿入されている。係合端部ガイド穴６３、６４は、操作レバー９の回転操作に基づいて移動する上下ロッド１２、１３の端部の移動をガイドする穴であり、その穴幅は上下ロッド１２、１３の端部がスムーズに移動できるように上下ロッド１２、１３の径よりも少し大きい幅に形成されている。
【００４７】
側板３の内側面８には、上下ロッド１２、１３を内側面８に沿って誘導する上下ロッドガイド穴４５、４６が形成されており、上ロッド１２と下ロッド１３は、上ロッドガイド穴４５と下ロッドガイド穴４６内に配置されている。側板３と操作レバー９との間にはベース板４０が配設されており、ベース板４０には操作レバー９の回転軸４１が設けられている。また、軸４１を挟んだベース板４０上の対向する位置には、上下ロッド１２、１３の端部のそれぞれの移動をガイドするロッド端部ガイド穴６７、６８が形成されている。上下ロッド１２、１３の端部は操作レバー９の回転操作に伴ない側板３の内側面８に沿って上下方向（図６の上下方向）に移動する。ロッド端部ガイド穴６７、６８は側板３の内側面８に沿って上下方向に直線状の長穴に形成されると共に、端部の移動を妨げないように上下ロッド１２、１３の径よりも大きい幅に形成されている。更に、ベース板４０には、操作レバー９の回転移動範囲を制限するリミッタ部材（移動制限部材ともいう）４８、４９が設けられている。
【００４８】
この操作レバー９の長手方向に沿って形成された長穴形状の係合端部ガイド穴６３、６４と、側板３の内側面８に沿って上下方向に形成された直線長穴形状のロッド端部ガイド穴６７、６８とによって、操作レバー９の操作に伴なう上下ロッド１２、１３の移動を直線的にすることができる（詳細は後述する）。
【００４９】
図６（ｂ）は、外枠１が島に取り付けられる前の状態を表わすものであり、操作レバー９は回転移動範囲の一方の制限位置（略１１時の方向の位置）にあって、リミッタ部材４８に係止された状態を示している。上下ロッド１２、１３は上下ロッドガイド穴４５、４６内に配置されている。そして、端部ガイド穴６３、６４に係合している上下ロッド１２、１３の端部は、上ロッド１２の端部が端部ガイド穴６４の一方の端部（図６（ｂ）において右方向の端部）に配置され、下ロッド１３の端部が端部ガイド穴６３の一方の端部（図６（ｂ）において左方向の端部）に配置されている。また、上下ロッド１２、１３の端部の折曲部は、上ロッド１２の折曲部がロッド端部ガイド穴６８の一方の端部近傍（図６（ｂ）において下方向の端部近傍）に配置され、下ロッド１３の折曲部がロッド端部ガイド穴６７の一方の端部近傍（図６（ｂ）において上方向の端部近傍）に配置されている。
【００５０】
また、下ロッド１３の長さは上ロッド１２の長さよりも長く形成されており、尖頭状に加工された上下ロッド１２、１３の端部は、下ロッド１３の先端部が下板５の下面まで略達した状態に配置されているのに対して、上ロッド１２の先端部は上板４の上面まで達していない下がった状態に配置されている。従って、この状態から操作レバー９を回転移動させた場合には、下ロッド１３が先に外枠１の下方外部に突出し、上ロッド１２が遅れて外枠１の上方外部に突出することになる。この上下ロッド１２、１３を時差を持たせて上下方向の外部に突出させることにより、外枠１の島２０への取り付けを迅速、かつ確実に行なうことができる。尚、時差を持たせて上下ロッド１２、１３を外枠の上下方向に突出させる手段としては、上ロッド１２と下ロッド１３は同じ長さに形成し、ベース板４０を設ける位置を内側面８の上下方向のセンターの位置から下側に少しずらす手段であってもよい。
【００５１】
図７（ａ）は、操作レバー９を図６（ｂ）に示される位置（略１１時の方向の位置）から水平の位置（略９時の方向の位置）まで回転操作させた状態を表わす図である。また、図７（ｂ）は、操作レバー９をさらに回転させ、移動範囲の一方の制限位置（略７時の方向の位置）まで回転操作させた状態を表わす図である。尚、図７（ａ）、（ｂ）は、外枠１を島（図３に示す開口部３８）に載置した状態において操作レバー９を回転操作させている。
【００５２】
図７（ａ）に示すように、操作レバー９を回転操作させると上ロッド１２および下ロッド１３は、上方向および下方向にロッド端部ガイド穴６８および６７に沿ってそれぞれ移動する。下ロッド１３が先に外枠１の下方外部に突出し、その先端が島の固定部２０に圧入する。この時、上ロッド１２は未だ上ロッドガイド穴４５内に配置されており、外枠１から外部に突出していない。そして、端部ガイド穴６３、６４に係合している上下ロッド１２、１３の端部は、端部ガイド穴６３、６４に沿って移動し、上ロッド１２の端部が端部ガイド穴６４の一方の端部（図７（ａ）において左方向の端部）に配置され、下ロッド１３の端部が端部ガイド穴６３の一方の端部（図７（ａ）において右方向の端部）に配置されている。操作レバー９の回転に伴って上下ロッド１２、１３の端部が端部ガイド穴６３、６４に沿って移動するため、上下ロッド１２、１３の端部の水平方向（図７（ａ）において左右方向）の位置を略一定の位置に留めることができるので、上下方向に移動する上下ロッド１２、１３を略直線的に移動させることができる。
【００５３】
この下ロッド１３の先端部のみが島の固定部２０に圧入された仮固定の状態において、垂直方向に対する外枠１のねかせ傾斜の調整を行なう。従って、この形態の場合にも上述した図４、５の形態と同様の作用効果を得ることができる。
【００５４】
尚、図６、図７においては、上下ロッドガイド穴４５、４６の一部分の幅を、図４（ｂ）の矢印で示すＱ領域と同様に広く形成しているが、上述のように上下ロッド１２、１３は略直線的に移動するため、部分的に広く形成せずに全て一定の幅に形成するようにしてもよい。また、略直線的に移動することから、上下ロッド１２、１３を曲がりにくい太さのもの（例えば、φ４のロッド）にすることができ、外枠１の島２０への固定をさらに確実にすることができる。
【００５５】
外枠１のねかせ傾斜を調整した後、図７（ｂ）に示すように、操作レバー９をさらに回転操作させると、上ロッド１２および下ロッド１３はそれぞれさらに上方向および下方向にロッド端部ガイド穴６８および６７に沿って移動し、上ロッド１２が外枠１の上方外部に突出して、その端部が島の固定部２０に圧入され、外枠１が島の固定部２０に固定される。
【００５６】
このとき端部ガイド穴６３、６４に係合している上下ロッド１２、１３の端部は、端部ガイド穴６３、６４に沿って移動し、上ロッド１２の端部が端部ガイド穴６４の一方の端部（図７（ｂ）において右方向の端部）に配置され、下ロッド１３の端部が端部ガイド穴６３の一方の端部（図７（ｂ）において左方向の端部）に配置されている。このように操作レバー９の回転操作に伴なって上下ロッド１２、１３の端部を端部ガイド穴６３、６４に沿って移動させるため、上下ロッド１２、１３の端部が係合する操作レバー９に設けたガイド穴に沿って移動しない構造の場合に比べて、上下ロッド１２、１３の移動量を多くすることができ、外枠１の外部に突出する上下ロッド１２、１３の端部の長さが大きくなり、より確実に外枠１を島２０に固定することができる。
【００５７】
外枠１の取り付け終了時には、操作レバー９をリミッタ部材４９（図６（ｂ）参照）に係止させる。また、外枠１を島に取り付ける前（例えば、外枠の搬送時）においては、操作レバー９をリミッタ部材４８に係止させる。この場合にも上述した図４、５の形態と同様の作用効果を得ることができる。
また、外枠１の固定構造は図６（ａ）に示すように側板２にも設けられており、同様のレバー操作を行なうことにより、上述した図４、５の形態と同様の作用効果を得ることができる。また、島の固定部２０に取り付けられた外枠１を外す場合についても上述した図４、５の形態と同様である。
【００５８】
図８（ａ）は、外枠固定構造を備えたパチンコ機の外枠の一形態を示す背面図であり、図８（ｂ）は、（ａ）のＣ−Ｃ線における断面図である。図９（ａ）は、図８に示す外枠を島に取り付けた状態を示す図であり、図９（ｂ）は、（ａ）のＤ−Ｄ線における断面図である。この形態における外枠固定構造は、図１、図２に示す外枠固定構造と同様にレバー操作式のものである。従って、図１、図２に示すものと同様の部材については同一の番号を付し詳しい説明は省略する。
【００５９】
図８（ａ）に示すように、パチンコ機の外枠１は、左右の側板２、３と上板４と下板５とから構成され、左右の側板２、３の背面８７、８８には、長手状の操作レバー８９、９０が設けられている。この操作レバー８９、９０は、固定された軸を中心に回転移動可能な状態に取り付けられている。図８（ａ）に示す外枠１は島に設置される以前のものであり、側板２、３の背面８７、８８に取り付けられている操作レバー８９、９０は、図８（ａ）に示すように、略１２時の方向を指すように設置されている。操作レバー８９、９０は図８（ａ）の矢印９１、９１'で示す方向に回転移動する。その回転移動に伴なって操作レバー９０に係合した上ロッド９２（第四ロッドともいう）、下ロッド９３（第三ロッドともいう）が外枠１の上下方向にそれぞれ移動し、外枠の上板４の上面および下板５の下面から外部に突出する（詳しくは後述する）。図８（ｂ）において矢印Ｆの示す方向が外枠２の前面、即ち、パチンコ機の前面方向を示している。
【００６０】
図９（ａ）に示すように、外枠１は上板４の上面および下板５の下面が島２０（以下、島の固定部２０ともいう。図では見易くするため島の固定部２０に斜線を付してある。）と近接あるいは当接して設置されている。側板２、３の背面８７、８８に取り付けられている操作レバー９０、８９は、図８（ａ）に示された略１２時の方向から図９（ａ）に示される略６時の方向まで回転操作される。この操作によって上述したように、上下ロッド９２、９３が外枠１の上板４の上面および下板５の下面から外部に突出する。突出した上下ロッド９２、９３は島の固定部２０に圧入し、外枠１が島２０に固定される（詳しくは後述する）。
【００６１】
図１０（ａ）、（ｂ）は外枠固定構造の別の一形態を示す図である。図１０（ａ）は外枠１の側板３に取り付けられた外枠固定構造を示す一部断面図である。図１０（ｂ）は側板３に取り付けられた外枠固定構造を外側面８'方向から見たときの図である。この形態における外枠固定構造は、図４、図６に示す外枠固定構造と同様にレバー操作式のものである。従って、図４、図６に示すものと同様の部材については同一の番号を付し詳しい説明は省略する。
【００６２】
図１０（ａ）、（ｂ）に示すように、側板３の背面８８には操作レバー９０が設けられている。操作レバー９０は、ベース板９７に固定された軸４１を中心として回転移動可能な状態で軸４１に取り付けられている。操作レバー９０の軸４１を挟んだ操作レバー９０上の対向する位置には、操作レバー９０の短手方向に沿って弧を描くように弧状長穴の係合端部ガイド穴９８、９９が形成されている。上ロッド９２と下ロッド９３のそれぞれの一方の端部は略垂直に折り曲げられ、その折曲部が係合端部ガイド穴９８、９９に挿入された状態で係合している。操作レバー９０の回転に伴なって移動する上下ロッド９２、９３の端部は、係合端部ガイド穴９８、９９によってその移動方向がガイドされている。係合端部ガイド穴９８、９９の幅は、上下ロッド９２、９３の端部がスムーズに移動できるように上下ロッド９２、９３の径よりも少し大きい幅に形成されている。
【００６３】
側板３の外側面８'には、上ロッド９２を外側面８'に沿って（図１０において上下方向に）誘導する上ロッドガイド穴（第四ロッドガイド穴）９５が形成され、側板３の内側面８には、下ロッド９３を内側面８に沿って（図１０において上下方向に）誘導する下ロッドガイド穴（第三ロッドガイド穴）９６が形成されている。上下ロッドガイド穴９５、９６は、それぞれ外枠１の上板４の上面および下板５の下面まで形成され、また、上下ロッド９２、９３の径よりも少し大きい幅［ロッドと穴壁との間に隙間がある（遊嵌された）程度の幅］で、且つ、穴内に上下ロッド９２、９３が全部収納される深さに形成されている（例えば、幅２.５ｍｍ、深さ５ｍｍの穴）。
【００６４】
側面３の背面８８の中央部分には凹部１００が形成され、その凹部１００の低面には操作レバー９０の回転の軸４１が固定されたベース板９７が取り付けられている。内側面８および外側面８'に延びる上下ロッドガイド穴９５、９６は、凹部１００の側面に達しており、上下ロッド９２、９３は上下ロッドガイド穴９５、９６からベース板９７上に掛けて配置され、上記のように端部が操作レバー９０の係合端部ガイド穴９８、９９に係合している。また、上下ロッド９２、９３の折曲部とは逆側の端部（先端部）は、尖頭状に加工されている。そして、操作レバー９０の回転操作に基づいて上下ロッド９２、９３は上下ロッドガイド穴９５、９６に沿って移動し、尖頭状の端部が外枠から外部に突出する。
【００６５】
このような構成は、上述した図４、５および図６、７に示す形態においても適用することができる。即ち、図４〜図７において、ベース板４０にロッド端部ガイド穴４７、６７、６８を設けず、側板３の内側面８に形成した凹部にベース板４０を取り付け、上下ロッド１２、１３を上下ロッドガイド穴４５、４６からベース板４０上に掛けて配置させ、上下ロッド１２、１３の端部を穴４３、４４あるいは端部ガイド穴６３、６４に係合させるようにしてもよい。このような構成であっても、上下ロッド１２、１３の端部が操作レバー９に係合し、また、操作レバー９によって上下ロッド１２、１３の一部を覆っているので、図４〜図７に示したベース板の構造の場合と略同様の作用効果を得ることができる。
【００６６】
上ロッド９２と下ロッド９３とは上下逆方に移動する。即ち、操作レバー９０の回転操作によって上ロッド９２が上方向に移動した場合には、下ロッド９３は下方向に移動し、上ロッド９２が下方向に移動した場合には、下ロッド９３は上方向に移動する。
また、上板４の上面と側板３の外側面に掛けて取り付けられた支持金具６'、下板５と側板３とを連結しているＬ字金具６の一面によって、上下ロッドガイド穴９５、９６の一部が覆われており、上下ロッド９２、９３は、それぞれ上下ロッドガイド穴９５、９６から飛び出して破損等しないように、これらの部材（支持金具６'、Ｌ字金具６）によっても保護およびガイドされている。
【００６７】
ベース板９７には、側板３の外側面８'の短手方向に沿って、操作レバー９０の回転移動範囲を制限するリミッタ部材（移動制限部材ともいう）１０１、１０２が設けられている。また、リミッタ部材１０１は上ロッドガイド穴９５を覆うように配設され、上ロッドガイド穴９５内の上ロッド９２の浮き上がりを防止する機能も有している。側板３の内側面８には、下ロッドガイド穴９６内の下ロッド９３の浮き上がりを防止するために、下ロッドガイド穴９６の一部を覆うように、外側面８の短手方向に沿ってガイド板１０３が設けられている。更に、ベース板９７には、操作レバー９０を仮固定するための固定部材（凸部）１０４、１０５が設けられており、操作レバー９０に形成された仮固定用穴１０６を固定部材１０４あるいは１０５に係合させることにより、操作レバー９０を１２時の方向あるいは６時の方向に仮固定することができる。
【００６８】
図１０（ａ）は、外枠１が島に取り付けられる前の状態を表わすものであり、操作レバー９０が回転移動範囲の一方の制限位置（略１２時の方向の位置）にあって、仮固定用穴１０６を固定部材１０４に係合させた状態を示している。上下ロッド９２、９３の先端部は上下ロッドガイド穴９５、９６内に配置されている。下ロッド９３の長さは上ロッド９２の長さよりも長く形成されており、尖頭状に加工された上下ロッド９２、９３の端部は、下ロッド９３の先端部が下板５の下面まで略達した状態に配置されているのに対して、上ロッド９２の先端部は上板４の上面まで達していない下がった状態に配置されている。従って、この状態から操作レバー９０を回転移動させた場合には、下ロッド９３が先に外枠１の下方外部に突出し、上ロッド９２が遅れて外枠１の上方外部に突出することになる。詳細は後述するが、この上下ロッド９２、９３を時差を持たせて上下方向の外部に突出させることにより、外枠１の島２０への取り付けを迅速、かつ確実に行なうことができる。
【００６９】
尚、時差を持たせて上下ロッド９２、９３を外枠の上下方向に突出させる手段としては、操作レバー９０（ベース板９７）を設ける位置を、上下方向のセンターの位置から下側に少しずらす手段であってもよく、その場合には、上述した図４、図５の形態の場合と同じように同様の作用効果を得ることができる。
また、時差を持たせて上下ロッド９２、９３を外枠の上下方向に突出させる別の手段としては、係合端部ガイド穴９８、９９を形成する角度を変えることにより、具体的には、図１０（ａ）に示される係合端部ガイド穴９８を左方向へ回転させた位置に形成する、あるいは係合端部ガイド穴９９を右方向へ回転させた位置に形成することにより、下ロッド９３を先に外枠１の外部に突出させることができる。
【００７０】
図１１（ａ）は、操作レバー９０を図１０（ａ）に示される位置（略１２時の方向の位置）から矢印１１０の方向へ（略１０時の方向の位置まで）回転操作させた状態を表わす図である。また、図１１（ｂ）は、操作レバー９０をさらに回転させ、略８時の方向の位置まで移動させた状態を表わす図である。また、図１１（ｃ）は、操作レバー９０をさらにまた回転させ、移動範囲の一方の制限位置（略６時の方向の位置）まで回転操作させた状態を表わす図である。尚、図１１（ａ）、（ｂ）、（ｃ）は、外枠１を島（図３に示す開口部３８）に載置して操作レバー９０を回転操作させた様子を表している。
【００７１】
図１１（ａ）に示すように、操作レバー９０を略１２時の方向から略１０時の方向の位置まで回転させた状態では、上下ロッド９２、９３の端部がそれぞれ係合端部ガイド穴９８、９９の一方の端から他方の端まで移動しただけであり、上下ロッド９２、９３の上下方向の移動は開始されていない。そして、この略１０時の方向の位置からさらに操作レバー９０を回転させることにより、操作レバー９０によるテコの作用が作動し、操作レバー９０の回転に伴なう上下ロッド９２、９３の上下方向への移動が開始される。このような構成とすることにより、操作レバー９０に対して操作する力を加え易く、容易かつ迅速に外枠の取り付け作業を行なうことができる。
【００７２】
図１１（ｂ）に示すように、操作レバー９０を回転操作させると下ロッド９３が先に外枠１の下方外部に突出し、その先端が島の固定部２０に圧入する。この時、上ロッド９２の先端部は未だ上ロッドガイド穴９５内に配置されており、外枠１から外部に突出していない。この下ロッド９３の先端部のみが島の固定部２０に圧入された仮固定の状態において、垂直方向に対する外枠１のねかせ傾斜の調整を行なう。この状態におけるねかせ傾斜の調整の作用効果は、上述した図４、図５に示す形態の作用効果と同様である。
【００７３】
外枠１のねかせ傾斜を調整した後、図１１（ｃ）に示すように、操作レバー９０をさらに回転操作させると上ロッド９２が外枠１の上方外部に突出し、その端部が島の固定部２０に圧入され、外枠１が島の固定部２０に確実に固定される。外枠１の取り付け終了時には、略６時の方向まで回転させた操作レバー９０の仮固定用穴１０６を固定部材１０５に係合させることにより、操作レバー９０の回転移動、即ち、上下ロッド９２、９３の島の固定部２０からの抜けを防止することができる。また、外枠１を島に取り付ける前（例えば、外枠の搬送時）においては、操作レバー９０の仮固定用穴１０６を固定部材１０４に係合させることによって（図１０（ａ）に示す状態によって）、上下ロッド９２、９３の先端部を外枠１の上下ロッド穴９５、９６内に配置させた状態を保持することができ、搬送時等の安全の確保を図ることができる。
【００７４】
また、この固定構造は側板２にも設けられており、上述した操作レバー９０の場合と同様に操作レバー８９の回転操作が行なわれる。従って、図１１（ｂ）に示す下ロッド９３の先端部のみが島の固定部２０に圧入された仮固定の状態は、側板２側でも同時に発生する。そして、両側の側板２、３において外枠１を仮固定させることにより、外枠１のねかせ傾斜の調整および外枠も取り付けを、より迅速、確実に行なうことができる。このとき側板２に設けられた操作レバー８９は、略１２時の方向から略６時の方向の範囲で、図１１に示す操作レバー９０の回転方向とは逆の方向に回転移動する。
【００７５】
また、島の固定部２０に取り付けられた外枠１を外す場合には、操作レバー９を外枠１取付け時とは逆方向に回転操作させればよい。即ち、図１１（ｃ）に示す操作レバー９０の位置（略６時の方向の位置）から図１０（ａ）に示す操作レバー９０の位置（略１２時の方向の位置）まで回転操作させることにより、上下ロッド９２、９３を島の固定部２０から抜くことができ外枠１を取り外すことができる。但し、取り付け時の図１１（ａ）の場合と同様に、操作レバー９０を略６時の方向から略８時の方向の位置まで回転させたときには、上下ロッド９２、９３の端部はそれぞれ係合端部ガイド穴９８、９９の一方の端から他方の端まで移動しただけであり、上下ロッド９２、９３の上下方向の移動は開始されない。
【００７６】
図１２（ａ）、（ｂ）は外枠固定構造の別の一形態を示す図である。図１２（ａ）は外枠１の側板３に取り付けられた外枠固定構造を示す一部断面図である。図１２（ｂ）は側板２に取り付けられた外枠固定構造を外側面８'方向から見たときの図である。この形態における外枠固定構造は、図４、図５に示す形態のベース板４０を削除した構造のものである。尚、図４に示すものと同様の部材については同一の番号を付し詳しい説明は省略する。
【００７７】
図１２（ａ）、（ｂ）に示すように、操作レバー９の回転の軸４１'が側板３の内側面８に設けられている。軸４１'は、例えば、側板３に嵌入した状態で固定されている。そして、軸４１'には長手状の操作レバー９（例えば、断面コ字状のレバー）が取り付けられている。操作レバー９は、軸４１'を中心として回転移動可能な状態で軸４１'に取り付けられている。また、軸４１'には操作レバー９の外れを防止するために、例えば、Ｅリング４２が取り付けられている。
【００７８】
側板３の内側面８には、操作レバー９の回転移動範囲を制限するリミッタ部材（移動制限部材ともいう）４８'、４９'が設けられている。リミッタ部材４８'、４９'は凹凸部を有し、凸部によって操作レバー９の回転移動範囲を制限し、凹部に操作レバー９の側面部分を係合させることによって操作レバー９を仮固定して、ロッド１２、１３の移動を防止している。その他の構造については図４に示す形態の構造と同様である。
【００７９】
このような構成により、操作レバー９は側板３の内側面８に固定された軸４１'に取り付けられているため、操作レバー９によって上下ロッド１２、１３の一部および上下ロッドガイド穴４５、４６の一部が覆われ、上下ロッドガイド穴４５、４６からの上下ロッド１２、１３の抜けを防止することができ、図４に示す形態の外枠固定構造と略同様の作用効果を得ることができる。
尚、ベース板を設けずに、操作レバーの回転軸を側板上に直接設けるようにした外枠固定構造の形態は、図６、図７に示す形態においても適用することができる。そして、その場合にも図１２に示す形態と同様の作用効果を得ることができる。
【００８０】
図１３（ａ）、（ｂ）は外枠固定構造の別の一形態を示す図である。図１３（ａ）は外枠１の側板３に取り付けられた外枠固定構造を示す一部断面図である。図１３（ｂ）は側板２に取り付けられた外枠固定構造を外側面８'方向から見たときの図である。この形態における外枠固定構造は、図１０、図１１に示す形態のベース板９７を削除した構造のものである。尚、図１０に示すものと同様の部材については同一の番号を付し詳しい説明は省略する。
【００８１】
図１３（ａ）、（ｂ）に示すように、操作レバー９０の回転の軸４１'が側板３の背面８８に設けられている。軸４１'は、例えば、背面８８に嵌入した状態で固定されている。そして、軸４１'には長手状の操作レバー９０（例えば、断面コ字状のレバー）が取り付けられている。操作レバー９０は、軸４１'を中心として回転移動可能な状態で軸４１'に取り付けられている。また、軸４１'には操作レバー９０の外れを防止するために、例えば、Ｅリング４２が取り付けられている。
【００８２】
背面８８の中央部分には凹部１００が形成されており、実際にはこの凹部１００の低面に軸４１'が嵌入されている。内側面８および外側面８'に延びる上下ロッドガイド穴９５、９６は、凹部１００の側面に達しており、上下ロッド９２、９３は、上下ロッドガイド穴９５、９６から凹部１００の底面上に掛けて配置され、その端部が操作レバー９０の係合端部ガイド穴９８、９９に係合している。
【００８３】
背面８８の凹部１００内には、基板１１０、１１１がネジ止めされている。そして、基板１１０、１１１には、操作レバー９０の回転移動範囲を制限するリミッタ部材（移動制限部材ともいう）１０１、１０２と、操作レバー９０を仮固定するための固定部材（凸部）１０４、１０５が設けられている。また、基板１１０には、下ロッドガイド穴９６内の下ロッド９３の浮き上がりを防止するためのガイド板１０３が設けられている。
このような構成により、図１０に示す形態の外枠固定構造と同様の作用効果を得ることができる。
【００８４】
【発明の効果】
本発明に係る請求項１のパチンコ機の外枠固定構造によれば、外枠に設けられた操作レバーの回転操作により、ロッドを外枠の上下方向にそれぞれ突出させ、そのロッドを島の固定部に圧入させることができるので、容易かつ確実に外枠を島に設置することができると共に、作業効率を向上させることができる。
【００８５】
本発明に係る請求項２のパチンコ機の外枠固定構造によれば、弧状に形成したロッド端部ガイド穴により、操作レバーの軸を挟んだ対向する位置に係合されたロッドの端部を適切な移動方向に誘導することができ、ロッドを外枠の上下方向の外部へ的確に突出させ、確実に外枠を島に設置することができる。
【００８６】
本発明に係る請求項３のパチンコ機の外枠固定構造によれば、直線状のロッド端部ガイド穴を側板の上下方向に沿って形成し、係合端部ガイド穴を操作レバーの軸を挟んだ位置に操作レバーの長手方向に沿って形成することにより、レバーの回転操作に基づいてロッドを側板の上下方向へ直線的に移動させることができるので、径が大きく、硬質のロッドを使用することが可能となり外枠を島に確実に設置することができる。
【００８７】
本発明に係る請求項４のパチンコ機の外枠固定構造によれば、外枠に設けられた操作レバーの回転操作により、ロッドを外枠の上下方向にそれぞれ突出させ、そのロッドを島の固定部に圧入させることができるので、容易かつ確実に外枠を島に設置することができると共に、作業効率を向上させることができる。
【００８８】
本発明に係る請求項５のパチンコ機の外枠固定構造によれば、第二ロッドの端部が外枠の上方外部に突出するよりも先に、第一ロッドの端部を外枠の下方外部に突出させることにより、第一ロッドの端部のみを島に圧入させた状態（仮固定状態）で外枠のねかせ傾斜を調整することができ、外枠を島に正確に設置することができる。また、仮固定状態では、第一ロッドの島への圧入により、外枠全体を島の上部の固定部に押し上げた状態にすることができ、外枠の上面に固定部に対する摩擦力を生じさせ、外枠上部のふらつき状態を防止することができるので、容易かつ確実に外枠のねかせ調整および取り付け作業を行なうことができる。
【００８９】
本発明に係る請求項６のパチンコ機の外枠固定構造によれば、移動制限部材を設けることにより操作レバーの回転移動を所定の範囲内に制限することができるので、外枠固定装置の破損を防止することができる。
【００９０】
本発明に係る請求項７および８のパチンコ機の外枠固定構造によれば、外枠に設けられた操作レバーの回転操作により、ロッドを外枠の上下方向にそれぞれ突出させ、そのロッドを島の固定部に圧入させることができるので、容易かつ確実に外枠を島に設置することができると共に、作業効率を向上させることができる。
【００９１】
本発明に係る請求項９のパチンコ機の外枠固定構造によれば、係合端部ガイド穴を操作レバーの軸を挟んだ位置に、操作レバーの短手方向に沿って弧を描くように形成することにより、操作レバーを鉛直方向の位置まで回転操作させることができ、側板の背面と重なる位置に配置させることができるので、パチンコ機の他の部材への配置制約を抑えることができる。また、操作レバーのテコの作用の作動位置を鉛直方向の位置から所定の角度だけ回転した位置にずらすことができるので、容易に操作レバーを操作することができる。
【００９２】
本発明に係る請求項１０のパチンコ機の外枠固定構造によれば、移動制限部材を設けることにより操作レバーの回転移動を所定の範囲内に制限することができるので、外枠固定装置の破損を防止することができる。
【図面の簡単な説明】
【図１】（ａ）は、外枠固定構造を備えたパチンコ機の外枠の一形態を示す背面図である。
（ｂ）は、（ａ）のＡ−Ａ線における断面図である。
【図２】（ａ）は、図１に示す外枠を島に取り付けた状態を示す図である。
（ｂ）は、（ａ）のＢ−Ｂ線における断面図である。
【図３】外枠が取り付けられる島の構造を示す図である。
【図４】外枠固定構造の一形態を示す図である。
（ａ）は、を外枠の側板に取り付けられた外枠固定構造を外枠の表から見たときの一部断面図である。
（ｂ）は、側板に取り付けられた外枠固定構造を内側面方向から見たときの図である。
（ｃ）は、リミッタ部材の側面図である。
【図５】（ａ）、（ｂ）は、操作レバーを回転操作させた状態を表わす図である。
【図６】外枠固定構造の別の一形態を示す図である。
（ａ）は、外枠の側板に取り付けられた外枠固定構造を外枠の表から見たときの一部断面図である。
（ｂ）は、側板に取り付けられた外枠固定構造を内側面方向から見たときの図である。
【図７】（ａ）、（ｂ）は、操作レバーを回転操作させた状態を表わす図である。
【図８】（ａ）は、外枠固定構造を備えたパチンコ機の外枠の別の一形態を示す背面図である。
（ｂ）は、（ａ）のＣ−Ｃ線における断面図である。
【図９】（ａ）は、図８に示す外枠を島に取り付けた状態を示す図である。
（ｂ）は、（ａ）のＤ−Ｄ線における断面図である。
【図１０】外枠固定構造の別の一形態を示す図である。
（ａ）は、外枠の側板に取り付けられた外枠固定構造を示す一部断面図である。
（ｂ）は、側板に取り付けられた外枠固定構造を外側面方向から見たときの図である。
【図１１】（ａ）、（ｂ）、（ｃ）は、操作レバーを回転操作させた状態を表わす図である。
【図１２】外枠固定構造の別の一形態を示す図である。
（ａ）は、を外枠の側板に取り付けられた外枠固定構造を外枠の表から見たときの一部断面図である。
（ｂ）は、側板に取り付けられた外枠固定構造を内側面方向から見たときの図である。
【図１３】外枠固定構造の別の一形態を示す図である。
（ａ）は、外枠の側板に取り付けられた外枠固定構造を示す一部断面図である。
（ｂ）は、側板に取り付けられた外枠固定構造を外側面方向から見たときの図である。
【符号の説明】
１    外枠
２、３  側板
４    上板
５    下板
９、１０、８９、９０  操作レバー
１２、１３  ロッド
２０  島（島の固定部）
４０  ベース板
４１  軸
４３、４４  穴
４５、４６、９５、９６  ロッドガイド穴
６３、６４、９８、９９  係合端部ガイド穴
４７、６７、６８ロッド端部ガイド穴
４８、４９、１０１、１０２  移動制限部材
【図１】
2004195096.tif 000003
【図２】
2004195096.tif 000004
【図３】
2004195096.tif 000005
【図４】
2004195096.tif 000006
【図５】
2004195096.tif 000007
【図６】
2004195096.tif 000008
【図７】
2004195096.tif 000009
【図８】
2004195096.tif 000010
【図９】
2004195096.tif 000011
【図１０】
2004195096.tif 000012
【図１１】
2004195096.tif 000013
【図１２】
2004195096.tif 000014
【図１３】
2004195096.tif 000015